(57)【要約】【課題】  他装置との間で制御信号を送受信することなく、信号を再生する信号処理装置、信号処理システム、及び信号処理方法を提供する。【解決手段】  信号処理装置は、伝送信号が双方向に伝送される伝送路上の個別の抽出部により抽出された一方向の伝送信号及び他方向の伝送信号を受信し、受信した前記一方向の伝送信号及び前記他方向の伝送信号から、前記伝送路に伝送される前記一方向の伝送信号を再生する装置において、前記一方向の伝送信号を前記抽出部の特性に基づいて補正し、前記他方向の伝送信号から、前記一方向の伝送信号に含まれる、前記伝送路に伝送される前記他方向の伝送信号の成分を生成し、前記一方向の伝送信号から除去する第１処理部を有する。【選択図】図９
2016134910.tif 000002
【特許請求の範囲】
【請求項１】
伝送信号が双方向に伝送される伝送路上の個別の抽出部により抽出された一方向の伝送信号及び他方向の伝送信号を受信し、受信した前記一方向の伝送信号及び前記他方向の伝送信号から、前記伝送路に伝送される前記一方向の伝送信号を再生する信号処理装置において、
前記一方向の伝送信号を前記抽出部の特性に基づいて補正し、前記他方向の伝送信号から、前記一方向の伝送信号に含まれる、前記伝送路に伝送される前記他方向の伝送信号の成分を生成し、前記一方向の伝送信号から除去する第１処理部を有することを特徴とする信号処理装置。
【請求項２】
前記伝送路の特性に基づいて、前記一方向の伝送信号に対し、前記伝送路に伝送される前記一方向の伝送信号の送信元から前記抽出部までの減衰量を補償し、前記他方向の伝送信号から、前記伝送路に伝送される前記他方向の伝送信号の送信先から前記抽出部に入力される反射成分を生成し、前記一方向の伝送信号から除去する第２処理部を、さらに有することを特徴とする請求項１に記載の信号処理装置。
【請求項３】
前記一方向の伝送信号の信号値を閾値により判定し、該判定結果に基づいて前記一方向の伝送信号の適応等化処理を行う第３処理部を、さらに有することを特徴とする請求項１または２に記載の信号処理装置。
【請求項４】
前記一方向の伝送信号を増幅する増幅器と、
前記増幅器により増幅された前記一方向の伝送信号に基づいて、前記増幅器の利得を制御する制御部と、
前記増幅器の利得に応じて、前記第１処理部の特性を調整する調整部とを、さらに有することを特徴とする請求項１乃至３の何れかに記載の信号処理装置。
【請求項５】
伝送信号が双方向に伝送される伝送路上の個別の抽出部により一方向の伝送信号及び他方向の伝送信号を抽出する抽出装置と、
抽出された前記一方向の伝送信号及び前記他方向の伝送信号を受信し、受信した前記一方向の伝送信号及び前記他方向の伝送信号から、前記伝送路に伝送される前記一方向の伝送信号を再生する信号処理装置とを有し、
前記信号処理装置は、前記一方向の伝送信号を前記抽出部の特性に基づいて補正し、前記他方向の伝送信号から、前記一方向の伝送信号に含まれる、前記伝送路に伝送される前記他方向の伝送信号の成分を生成し、前記一方向の伝送信号から除去する第１処理部を有することを特徴とする信号処理システム。
【請求項６】
伝送信号が双方向に伝送される伝送路上の個別の抽出部により一方向の伝送信号及び他方向の伝送信号を抽出し、抽出された前記一方向の伝送信号及び前記他方向の伝送信号から、前記伝送路に伝送される前記一方向の伝送信号を再生する信号処理方法において、
前記一方向の伝送信号を前記抽出部の特性に基づいて補正し、前記他方向の伝送信号から、前記一方向の伝送信号に含まれる、前記伝送路に伝送される前記他方向の伝送信号の成分を生成し、前記一方向の伝送信号から除去することを特徴とする信号処理方法。
【発明の詳細な説明】
【技術分野】
【０００１】
本件は、信号処理装置、信号処理システム、及び信号処理方法に関する。
【背景技術】
【０００２】
通信の需要の増加に伴って、ネットワークに流れる信号を監視するネットワーク監視システムが普及している。ネットワーク監視システムには、例えば、下記の用途に用いられ、ネットワーク運用において重要な役割を果たす。
・ネットワーク状況の把握を目的とするトラフィック解析及び可視化
・ネットワークの異常の早期検知及び予測
・ＶｏＩＰ（Voice Over Internet Protocol）または映像配信などのサービス品質の監視
・ネットワークへの不正侵入（ハッキング）の検出（ＩＤＳ（Intrusion Detection System）装置を使用）
・企業ネットワークにおけるアクセスの監視
・企業のコンプライアンス遵守及び監査を目的とするパケットキャプチャによる通信ログの保存（パケットレコーダ装置を使用）
【０００３】
ネットワーク監視システムにおいて、ネットワークに流れる信号は、例えば、ネットワークタップなどと呼ばれる装置によりネットワーク外の監視装置へと出力される。ネットワークタップは、ネットワークの伝送路の途中に挿入されるように設けられ、信号を分岐させることにより伝送路から信号を取り出す。
【０００４】
ネットワークタップは、例えば以下の機能を備える。
・ネットワークに流れる信号を、エラーパケットを含めて全て取り出すことができる。
・ネットワークの通信に影響しない。例えば、監視装置から入力される信号は、ネットワークに出力されない。
【０００５】
ネットワークタップとしては、例えば、光ファイバから光信号を取り出すファイバタップと、ＵＴＰ（Unshielded Twisted Pair）ケーブルから電気信号を取り出すＵＴＰタップとが挙げられる。ファイバタップは、光信号を例えば分光器により分岐させる簡単な構造を有している。
【０００６】
一方、ＵＴＰタップは、例えば１０ＢＡＳＥ−Ｔ／１００ＢＡＳＥ−ＴＸに対応するものであれば、電気信号を例えば分波器により分波する簡単な構造を有している。しかし、例えば１０００ＢＡＳＥ−Ｔの場合、ＵＴＰケーブルには、双方向に電気信号が伝送されるため、１０００ＢＡＳＥ−Ｔに対応するＵＴＰタップの構造は、他のネットワークタップより複雑である。
【０００７】
１０００ＢＡＳＥ−Ｔに対応するＵＴＰタップは、例えば、ＵＴＰケーブルの途中に接続された一組のリレーと、ＧＭＩＩ（Gigabit Media Independent Interface）側で互いに接続された一組のＰＨＹ（Physical layer）チップとを有する。一組のＰＨＹチップは、一組のリレーを切り替えることにより伝送路に接続される。つまり、信号の伝送経路は、一組のリレーを切り替えることにより、通常の経路から一組のＰＨＹチップを経由する経路（バイパス経路）に切り替えられる。
【０００８】
このとき、各ＰＨＹチップは、リレーを介し、伝送路の両端に接続された通信装置とそれぞれリンクアップして信号を送受信することにより、通信装置間の通信を維持する。なお、一組のリレーは、ＵＴＰタップが故障した場合でも、伝送路における信号伝送が継続されるように、信号の伝送経路を元の通常の経路に戻すために設けられている。
【０００９】
各ＰＨＹチップは、入力された信号を終端して、他方のＰＨＹチップを介して伝送路に出力するとともに、別のＰＨＹチップを介して監視装置にも出力する。これにより、上記のＵＴＰタップは、ＵＴＰケーブルにおける双方向の信号伝送を正常に維持しつつ、監視装置による信号の監視を可能とする。
【００１０】
ネットワークタップに関し、例えば特許文献１及び２には、信号分離器（signal separator）により通信ケーブルから信号を取り出す点が記載されている。
【先行技術文献】
【特許文献】
【００１１】
【特許文献１】米国特許第２００７／０１７１９６６号明細書
【特許文献２】米国特許第２００７／０１７４４９２号明細書
【発明の概要】
【発明が解決しようとする課題】
【００１２】
しかし、上記のＵＴＰタップには、以下に述べる問題が存在する。
【００１３】
ＵＴＰタップが故障した場合、リレーを切り替えることにより、伝送路における信号伝送は継続されるが、故障したＵＴＰタップを交換するときには、ＵＴＰタップを伝送路から取り外す作業が生ずるため、信号伝送ができず、通信が中断する。このとき、伝送路が二重化されていても、ネットワーク管理システムにより伝送路を切り替える手間が生ずる。
【００１４】
また、ＵＴＰタップが故障した場合、リレーの切り替えのため、信号伝送が数ｍｓｅｃの間中断され、通信が瞬断する。このとき、伝送路の両端に接続された通信装置間ではリンクダウンが発生し、再度リンクアップするまでに例えば２、３秒の時間を要するため、通信に支障をきたす可能性がある。さらに、リレーが故障した場合、リレーの切り替えがなくても、通信に支障をきたす可能性がある。
【００１５】
また、ＵＴＰタップによる信号の遅延時間は、伝送経路が一組（２個）のＰＨＹチップを経由するため、例えば１（μｓｅｃ）程度であり、例えばＶｏＩＰの場合、通信品質が低下し得る。さらに、ＵＴＰタップでは、一方のＰＨＹチップのリンク状態の変化が検出された場合、他方のＰＨＹチップのリンク状態を制御するため、伝送路の両端に接続された通信装置へのリンク状態の通知に数１０（ｍｓｅｃ）程度の遅延が生ずる。
【００１６】
上記の問題に対し、リレーに代えて、例えば方向性結合器のように、一方向に伝送される信号を抽出する抽出回路を伝送路の途中に接続しておき、伝送路における信号伝送を維持しつつ、抽出した信号を監視装置に出力してもよい。この場合、抽出回路は、インダクタンスなどの給電が不要な受動部品のみで構成されるため、故障の可能性が低減され、ＵＴＰタップの交換の必要性が低下する。このため、通信の中断及び瞬断が抑制される。
【００１７】
また、伝送路の両端に接続された各通信装置は、抽出回路を介して信号を互いに送受信できるため、上記のＵＴＰタップとは異なり、信号を伝送路の途中でバイパスさせるためのＰＨＹチップは、不要である。このため、信号の遅延時間が低減される。
【００１８】
ＵＴＰタップにより抽出された信号は、伝送路及び抽出回路の特性などの様々な要因により劣化する。このため、ＵＴＰタップには、抽出された信号から、伝送路に伝送される信号を再生する手段（特性の等化手段）が必要である。上記のＰＨＹチップは、信号を再生する回路を備え、伝送路の両端に接続された通信装置とリンクアップするとき、通信装置との間で制御信号を送受信する手順（以下、「スタートアッププロトコル」と表記）を経て、該回路のパラメータを調整する。
【００１９】
しかし、ＵＴＰタップは、ＰＨＹチップが実装されないため、ＰＨＹチップに代わる信号再生手段を備える必要がある。さらに、ＵＴＰタップは、上述したように、伝送路を介した通信に影響を与えることができないため、スタートアッププロトコルを行うことなく、信号を再生する必要がある（いわゆるブラインド等化機能）。なお、信号再生に関し、例えば上記の特許文献１及び２には、抽出した信号から他の信号成分を分離する点が記載されているが、その手段は開示されていない。
【００２０】
そこで本件は上記の課題に鑑みてなされたものであり、他装置との間で制御信号を送受信することなく、信号を再生する信号処理装置、信号処理システム、及び信号処理方法を提供することを目的とする。
【課題を解決するための手段】
【００２１】
本明細書に記載の信号処理装置は、伝送信号が双方向に伝送される伝送路上の個別の抽出部により抽出された一方向の伝送信号及び他方向の伝送信号を受信し、受信した前記一方向の伝送信号及び前記他方向の伝送信号から、前記伝送路に伝送される前記一方向の伝送信号を再生する装置において、前記一方向の伝送信号を前記抽出部の特性に基づいて補正し、前記他方向の伝送信号から、前記一方向の伝送信号に含まれる、前記伝送路に伝送される前記他方向の伝送信号の成分を生成し、前記一方向の伝送信号から除去する第１処理部を有する。
【００２２】
本明細書に記載の信号処理システムは、伝送信号が双方向に伝送される伝送路上の個別の抽出部により一方向の伝送信号及び他方向の伝送信号を抽出する抽出装置と、抽出された前記一方向の伝送信号及び前記他方向の伝送信号を受信し、受信した前記一方向の伝送信号及び前記他方向の伝送信号から、前記伝送路に伝送される前記一方向の伝送信号を再生する信号処理装置とを有し、前記信号処理装置は、前記一方向の伝送信号を前記抽出部の特性に基づいて補正し、前記他方向の伝送信号から、前記一方向の伝送信号に含まれる、前記伝送路に伝送される前記他方向の伝送信号の成分を生成し、前記一方向の伝送信号から除去する第１処理部を有する。
【００２３】
本明細書に記載の信号処理方法は、伝送信号が双方向に伝送される伝送路上の個別の抽出部により一方向の伝送信号及び他方向の伝送信号を抽出し、抽出された前記一方向の伝送信号及び前記他方向の伝送信号から、前記伝送路に伝送される前記一方向の伝送信号を再生する方法において、前記一方向の伝送信号を前記抽出部の特性に基づいて補正し、前記他方向の伝送信号から、前記一方向の伝送信号に含まれる、前記伝送路に伝送される前記他方向の伝送信号の成分を生成し、前記一方向の伝送信号から除去する。
【発明の効果】
【００２４】
他装置との間で制御信号を送受信することなく、信号を再生できる。
【図面の簡単な説明】
【００２５】
【図１】ネットワーク監視システムの一例を示す構成図である。
【図２】比較例のネットワークタップを示す構成図である。
【図３】実施例のネットワークタップを示す構成図である。
【図４】反射波及び漏えい波の一例を示す図である。
【図５】実施例１の信号処理回路を示す構成図である。
【図６】等化器の一例を示す構成図である。
【図７】実施例１の信号処理回路の変形例を示す構成図である。
【図８】実施例１の信号処理回路の他の変形例を示す構成図である。
【図９】方向性結合器のＳパラメータのモデル及び信号再生回路の例を示す図である。
【図１０】補正前及び補正後の信号波形のシミュレーション結果を示すグラフである。
【図１１】実施例２の信号処理回路を示す構成図である。
【図１２】実施例３の信号処理回路を示す構成図である。
【図１３】他の実施例のネットワークタップを示す構成図である。
【図１４】実施例４の信号処理回路を示す構成図である。
【図１５】係数テーブルの一例を示す表である。
【図１６】制御器の一例を示す構成図である。
【発明を実施するための形態】
【００２６】
図１は、ネットワーク監視システムの一例を示す構成図である。ネットワーク監視システムは、ネットワーク装置（Ａ）９０、ネットワーク装置（Ｂ）９１、ネットワークタップ１、及び監視装置９２を有する。
【００２７】
ネットワーク装置（Ａ）９０及びネットワーク装置（Ｂ）９１は、例えばルーターやレイヤ２スイッチなどの通信装置である。ネットワーク装置（Ａ）９０及びネットワーク装置（Ｂ）９１は、伝送路Ｄを介して互いに接続され、互いに伝送信号Ｓａ，Ｓｂを送受信する。伝送路Ｄとしては、例えばＵＴＰケーブルが挙げられる。
【００２８】
伝送路Ｄには、伝送信号Ｓａ，Ｓｂが双方向に伝送される。伝送路Ｄの途中には、伝送信号Ｓａ，Ｓｂを抽出するネットワークタップ１が設けられている。ネットワーク装置（Ａ）９０から送信された伝送信号Ｓａは、実線で示されるように、ネットワークタップ１において分岐され、ネットワーク装置（Ｂ）９１及び監視装置９２に出力される。また、ネットワーク装置（Ｂ）９１から送信された伝送信号Ｓｂは、点線で示されるように、ネットワークタップ１において分岐され、ネットワーク装置（Ａ）９０及び監視装置９２に出力される。
【００２９】
なお、本実施例において、ネットワーク装置（Ａ）９０及びネットワーク装置（Ｂ）９１は、１０００ＢＡＳＥ−Ｔに基づいて通信を行い、伝送信号Ｓａ，Ｓｂとして、ＩＰパケットを送受信するものとするが、これに限定されない。また、ネットワークタップ１は、一例としてＵＴＰタップとするが、これに限定されない。
【００３０】
監視装置９２は、ネットワークタップ１から入力された伝送信号Ｓａ，Ｓｂを解析して、解析結果を出力する。監視装置９２は、例えば、伝送信号Ｓａ，Ｓｂに含まれるＩＰパケットのエラーレート及び遅延時間などに基づいて、ＶｏＩＰや映像配信などのサービス品質を解析する。
【００３１】
（比較例）
図２は、比較例のネットワークタップ１ａを示す構成図である。ネットワークタップ１ａは、ネットワークポートＡ及びＢを介してネットワーク装置（Ａ）９０及びネットワーク装置（Ｂ）９１に接続され、モニタポートＡ及びＢを介して監視装置９２に接続されている。
【００３２】
ネットワークタップ１ａは、伝送路Ｄに接続された一組のリレー２０，２１と、ＧＭＩＩ側で互いに接続された一組のＰＨＹチップ３０，３１と、監視装置９２に接続された一組のＰＨＹチップ３２，３３とを有する。なお、図２において、「ＴＸ」は、ＰＨＹチップ３０〜３３の送信データのＧＭＩＩへの入力信号を示し、「ＲＸ」は、ＰＨＹチップ３０〜３３の受信データのＧＭＩＩからの出力信号を示す。
【００３３】
リレー２０，２１は、外部からの制御に従ってオンオフされることにより、ネットワークポートＡ及びＢの接続先を、他方のリレー２１，２０またはＰＨＹチップ３０，３１に切り替える。リレー２０，２１は、オフのとき、ネットワークポートＡ及びＢを互いに接続する。このとき、伝送信号Ｓａ，Ｓｂは、ＰＨＹチップ３０，３１を経由しない通常の経路Ｒｏｆｆに沿って伝送される。
【００３４】
一方、リレー２０，２１は、オンのとき、ネットワークポートＡ及びＢをＰＨＹチップ３０，３１にそれぞれ接続する。このとき、ＰＨＹチップ３０，３１は、リレー２０，２１をそれぞれ介し、ネットワーク装置（Ａ）９０及びネットワーク装置（Ｂ）９１とそれぞれリンクアップして伝送信号Ｓａ，Ｓｂを送受信する。このため、伝送信号Ｓａ，Ｓｂは、ＰＨＹチップ３０，３１を経由するバイパス経路Ｒｏｎに沿って伝送される。なお、一組のリレー２０，２１は、ネットワークタップ１ａが故障した場合でも、伝送路Ｄにおける信号伝送が継続されるように、伝送信号Ｓａ，Ｓｂの伝送経路を元の通常の経路に戻すために設けられている。
【００３５】
ＰＨＹチップ３０，３１は、ネットワークポートＡ及びＢから入力された信号Ｓａ，Ｓｂを終端して、他方のＰＨＹチップ３１，３０に出力するとともに、別のＰＨＹチップ３２，３３を介して監視装置９２にも出力する（ＲＸ，Ｔｘ参照）。これにより、ネットワークタップ１ａは、伝送路Ｄにおける双方向の信号伝送を正常に維持しつつ、監視装置９２による伝送信号Ｓａ，Ｓｂの監視を可能とする。
【００３６】
しかし、比較例のネットワークタップ１ａには、以下に述べる問題が存在する。
【００３７】
ネットワークタップ１ａが故障した場合、リレー２０，２１を切り替えることにより、伝送路Ｄにおける信号伝送は継続されるが、故障したネットワークタップ１ａを交換するときには、ネットワークタップ１ａを伝送路から取り外す作業が生ずる。このため、信号伝送ができず、通信が中断する。このとき、伝送路Ｄが二重化されていても、ネットワーク管理システムにより伝送路Ｄを切り替える手間が生ずる。
【００３８】
また、ネットワークタップ１ａが故障した場合、リレー２０，２１の切り替えのため、信号伝送が数ｍｓｅｃの間中断され、通信が瞬断する。このとき、ネットワーク装置（Ａ）９０及びネットワーク装置（Ｂ）９１間ではリンクダウンが発生し、再度リンクアップするまでに例えば２、３秒の時間を要するため、通信に支障をきたす可能性がある。さらに、リレー２０，２１が故障した場合、リレー２０，２１の切り替えがなくても、通信に支障をきたす可能性がある。
【００３９】
また、ネットワークタップ１ａによる伝送信号Ｓａ，Ｓｂの遅延時間は、伝送経路が一組（２個）のＰＨＹチップ３０，３１を経由するため、例えば１（μｓｅｃ）程度であり、例えばＶｏＩＰの場合、通信品質が低下し得る。さらに、ネットワークタップ１ａでは、一方のＰＨＹチップ３０，３１のリンク状態の変化が検出された場合、他方のＰＨＹチップ３１，２０のリンク状態を制御するため、ネットワーク装置（Ａ）９０及びネットワーク装置（Ｂ）９１へのリンク状態の通知に数１０（ｍｓｅｃ）程度の遅延が生ずる。
【００４０】
上記の問題に対し、実施例では、リレー２０，２１に代えて、方向性結合器を伝送路Ｄの途中に接続しておき、伝送路Ｄにおける信号伝送を維持しつつ、抽出した伝送信号Ｓａ，Ｓｂを監視装置９２に出力する。方向性結合器は、インダクタンスなどの給電が不要な受動部品のみで構成されるため、故障の可能性が低減され、ネットワークタップの交換の必要性が低下する。このため、通信の中断及び瞬断が抑制される。
【００４１】
（実施例）
図３は、実施例のネットワークタップ（信号処理システム）１を示す構成図である。ネットワークタップ１は、コネクタ１２と、コネクタ１２を介して互いに接続された信号抽出部（抽出装置）１０及び受信部（信号処理装置）１１とを有する。
【００４２】
信号抽出部１０は、伝送路Ｄに接続されたネットワークポートＰａ＿ｎ，Ｐｂ＿ｎと、互いに接続された一組の方向性結合器（抽出部）１００，１０１とを有する。方向性結合器１００は、ネットワークポートＰａ＿ｎを介してネットワーク装置（Ａ）９０に接続されている。方向性結合器１００は、ネットワーク装置（Ａ）９０により送信された一方向Ｘａ伝送信号Ｓａを分岐して、他方の方向性結合器１０１及びコネクタ１２に出力する。
【００４３】
方向性結合器１０１は、ネットワークポートＰｂ＿ｎを介してネットワーク装置（Ｂ）９１に接続されている。方向性結合器１０１は、ネットワーク装置（Ｂ）９１により送信された他方向Ｘｂの伝送信号Ｓｂを分岐して、他方の方向性結合器１００及びコネクタ１２に出力する。
【００４４】
このため、ネットワーク装置（Ａ）９０及びネットワーク装置（Ｂ）９１は、信号抽出部１０を介して伝送信号Ｓａ，Ｓｂを互いに送受信できる。したがって、本例のネットワークタップ１は、比較例のネットワークタップ１ａとは異なり、伝送信号Ｓａ，Ｓｂを伝送路Ｄの途中でバイパスさせるためのＰＨＹチップ３０，３１は、不要である。このため、伝送信号Ｓａ，Ｓｂの遅延時間が低減される。
【００４５】
このように、伝送信号Ｓａ，Ｓｂは、個別の方向性結合器１００，１０１により伝送路Ｄから抽出され、コネクタ１２に入力される。受信部１１は、コネクタ１２を介して、抽出された伝送信号Ｓａ，Ｓｂを受信する。
【００４６】
抽出された伝送信号Ｓａ，Ｓｂは、伝送路Ｄ及び信号抽出部１０の特性などの様々な要因により劣化する。このため、受信部１１には、ＰＨＹチップ３０，３１に代わり、抽出された伝送信号Ｓａ，Ｓｂから、伝送路Ｄに伝送される伝送信号Ｓａ，Ｓｂを再生する手段（特性の等化手段）が設けられている。
【００４７】
受信部１１は、増幅器（AMP: Amplifier）４０，４１と、アナログ−デジタル変換器（ADC: Analog-to-Digital Converter）５０，５１と、信号処理回路６とを有する。受信部１１は、さらに、デジタル−アナログ変換器（DAC: Digital-to-Analog Converter）５２，５３と、ＰＨＹチップ７０，７１と、モニタ送信部８とを有する。
【００４８】
増幅器４０，４１は、コネクタ１２から入力された伝送信号Ｓａ，Ｓｂをそれぞれ増幅する。信号抽出部１０により抽出された伝送信号Ｓａ，Ｓｂの電圧レベルは、伝送路Ｄへの影響を避けるため、微弱である。増幅器４０，４１は、伝送信号Ｓａ，Ｓｂを、後段の回路で処理可能な電圧レベルにまで増幅する。
【００４９】
アナログ−デジタル変換器５０，５１は、増幅された伝送信号Ｓａ，Ｓｂをデジタル信号からアナログ信号にそれぞれ変換して信号処理回路６に出力する。なお、以降の説明において、信号処理回路６に入力される伝送信号Ｓａ，Ｓｂを、伝送路Ｄに伝送される伝送信号Ｓａ，Ｓｂと区別するために、抽出信号Ｓａｘ，Ｓｂｘとする。
【００５０】
信号処理回路６は、抽出信号Ｓａｘ，Ｓｂｘから伝送信号Ｓａ，Ｓｂをそれぞれ再生する。信号処理回路６は、例えばＤＳＰ（Digital Signal Processor）やＦＰＧＡ（Field Programmable Gate Array）により構成される。
【００５１】
抽出信号Ｓａｘ，Ｓｂｘは、信号処理回路６の入力端子Ａ＿ｉｎ，Ｂ＿ｉｎにそれぞれ入力され、元の伝送信号Ｓａ，Ｓｂに再生処理された後、出力端子Ａ＿ｏｕｔ，Ｂ＿ｏｕｔから出力される。デジタル−アナログ変換器５２，５３は、再生された伝送信号Ｓａ，Ｓｂをアナログ信号からデジタル信号に変換してＰＨＹチップ７０，７１にそれぞれ出力する。
【００５２】
伝送信号Ｓａ，Ｓｂは、ＰＨＹチップ７０，７１のＧＭＩＩ側に入力されて終端され、モニタ送信部８に出力される。モニタ送信部８は、モニタポートＰａ＿ｍ，Ｐｂ＿ｍを介して監視装置９２と接続されている。モニタ送信部８は、伝送信号Ｓａ，Ｓｂの形態を、監視装置９２に応じて変換し、監視装置９２に出力する。
【００５３】
受信部１１は、コネクタ１２を介して着脱自在に信号抽出部１０に接続されている。このため、受信部１１は、故障が発生した場合、信号抽出部１０を伝送路Ｄに残したまま、交換することが可能である。例えば、信号抽出部１０への給電が停止する障害が発生しても、信号抽出部１０は、給電が不要であるため、伝送路Ｄにおける信号伝送は維持され、ネットワーク装置（Ａ）９０及びネットワーク装置（Ｂ）９１間の通信に影響はない。
【００５４】
信号処理回路６も、ネットワーク装置（Ａ）９０及びネットワーク装置（Ｂ）９１間の通信に影響することなく、信号再生処理を行う。このため、信号処理回路６は、スタートアッププロトコルのようなネットワーク装置（Ａ）９０及びネットワーク装置（Ｂ）９１との通信を行うことなく、特性の等化処理を行う。
【００５５】
信号処理回路６は、抽出信号Ｓａｘ，Ｓｂｘに生じた特性の劣化を補償する。特性の劣化要因としては、方向性結合器１００，１０１の通過特性、方向性結合器１００，１０１への逆方向の伝送信号Ｓａ，Ｓｂの漏えい波、伝送路Ｄ及びネットワーク装置９０，９１の送受信端における反射波が挙げられる。
【００５６】
図４には、反射波及び漏えい波の一例が示されている。なお、図４は、一方向Ｘａの伝送信号Ｓａに干渉する反射波Ｓｂ＿ｒｅｆ及び漏えい波Ｓｂ＿ｉｎｆのみが示されているが、他方向Ｘｂの伝送信号Ｓｂも、同様に反射波及び漏えい波の干渉を受ける。
【００５７】
方向性結合器１００は、伝送路ＤであるＵＴＰケーブルを介してネットワーク装置（Ａ）９０の送受信端ＴＭ＿Ａに接続されている。また、方向性結合器１０１は、ＵＴＰケーブルを介してネットワーク装置（Ｂ）９１の送受信端ＴＭ＿Ｂに接続されている。
【００５８】
方向性結合器１００は、ＵＴＰケーブルで双方向に伝送される伝送信号Ｓａ，Ｓｂのうち、一方向Ｘａの伝送信号Ｓａを抽出し、コネクタ１２を介して、信号処理回路６の入力端子Ａ＿ｉｎに導く。しかし、方向性結合器１００は、互いに逆方向Ｘａ，Ｘｂに伝送される伝送信号Ｓａ，Ｓｂを完全に分離できるわけではないため、逆方向Ｘｂの伝送信号Ｓｂの一部も、漏えい波Ｓｂ＿ｉｎｆとして信号処理回路６の入力端子Ａ＿ｉｎに入力される。
【００５９】
また、方向性結合器１００は、送受信端ＴＭ＿Ｂからの逆方向の伝送信号Ｓｂを、送受信端ＴＭ＿Ａに向けて通過させる。このため、伝送信号Ｓｂは、信号抽出部１０とＵＴＰケーブルの接続部及び送受信端ＴＭ＿ＡとＵＴＰケーブルの接続部において反射され、該反射波Ｓｂ＿ｒｅｆが方向性結合器１００に入力される。反射波Ｓｂ＿ｒｅｆは、伝送方向が伝送信号Ｓａと同じであるため、伝送信号Ｓａとともに、信号処理回路６の入力端子Ａ＿ｉｎに入力される。
【００６０】
このように、信号処理回路６には、監視装置９２の監視対象の伝送信号Ｓａだけではなく、漏えい波Ｓｂ＿ｉｎｆ及び反射波Ｓｂ＿ｒｅｆも入力される。このため、信号処理回路６には、漏えい波Ｓｂ＿ｉｎｆ及び反射波Ｓｂ＿ｒｅｆの干渉を受けた抽出信号Ｓａｘが入力される。
【００６１】
さらに、抽出信号Ｓａｘは、方向性結合器１００の通過特性の影響も受ける。つまり、方向性結合器１００は、抽出する伝送信号Ｓａの周波数成分ごとに抽出量や位相（遅延量）が異なる。また、増幅器４０も、伝送信号Ｓａの周波数成分ごとに増幅量や位相が異なる。このため、抽出信号Ｓａｘは、方向性結合器１００及び増幅器４０の特性により劣化する。なお、逆方向Ｘｂの伝送信号Ｓｂも、同様に、方向性結合器１０１及び増幅器４１の特性の影響を受ける。上記以外にも、抽出された伝送信号Ｓａ，Ｓｂは、ＵＴＰケーブルの特性により減衰する。
【００６２】
このように、抽出された伝送信号Ｓａ，Ｓｂは、各種の要因により劣化するため、信号処理回路６は、抽出信号Ｓａｘ，Ｓｂｘから、元の伝送信号Ｓａ，Ｓｂを再生する。
【００６３】
（実施例１）
本実施例の信号処理回路６は、上述した劣化要因のうち、方向性結合器１００の通過特性及び漏えい波Ｓｂ＿ｉｎｆによる劣化を補償する。このため、本例の信号処理回路６は、方向性結合器１００，１０１の入力端における伝送信号Ｓａ，Ｓｂの特性を基準として伝送信号Ｓａ，Ｓｂを再生する。以下に信号処理回路６の構成を説明する。
【００６４】
図５は、実施例１の信号処理回路６を示す構成図である。信号処理回路６は、入力端子Ａ＿ｉｎ及び出力端子Ａ＿ｏｕｔと接続された補正回路Ｅ１０と、入力端子Ｂ＿ｉｎ及び出力端子Ｂ＿ｏｕｔと接続された補正回路Ｅ１１とを有する。
【００６５】
補正回路Ｅ１０は、等化器（イコライザ）ＥＱ＿１ａ，ＥＱ＿２ｂ，ＥＱ＿３ａと、加算回路ｋ０とを有する。補正回路Ｅ１１は、等化器ＥＱ＿１ｂ，ＥＱ＿２ａ，ＥＱ＿３ｂと、加算回路ｋ１とを有する。
【００６６】
補正回路Ｅ１０において、入力端子Ａ＿ｉｎから入力された抽出信号Ｓａｘは、等化器ＥＱ＿１ａ，ＥＱ＿２ｂに出力される。等化器ＥＱ＿１ａから出力された抽出信号Ｓａｘは、加算回路ｋ０に出力される。加算回路ｋ０から出力された抽出信号Ｓａｘは、等化器ＥＱ＿３ａに出力される。等化器ＥＱ＿３ａから出力された抽出信号Ｓａｘは、出力端子Ａ＿ｏｕｔに出力される。
【００６７】
補正回路Ｅ１０内の等化器ＥＱ＿１ａ，ＥＱ＿３ａは、一方向Ｘａの抽出信号Ｓａｘを方向性結合器１００の通過特性に基づいて補正する。これにより、方向性結合器１００の通過特性により劣化した抽出信号Ｓａｘの特性が補償される。
【００６８】
補正回路Ｅ１０内の等化器ＥＱ＿２ｂは、他方向Ｘｂの抽出信号Ｓｂｘに含まれる一方向Ｘａの伝送信号Ｓａの成分を生成する。つまり、等化器ＥＱ＿２ｂは、方向性結合器１０１において抽出された他方向Ｘｂの伝送信号Ｓｂに混入した漏えい波（図４参照）を生成する。生成された漏えい波の成分は、他方の補正回路Ｅ１１内の加算回路ｋ１に出力される。
【００６９】
また、補正回路Ｅ１１において、入力端子Ｂ＿ｉｎから入力された抽出信号Ｓｂｘは、等化器ＥＱ＿１ｂ，ＥＱ＿２ａに出力される。等化器ＥＱ＿１ｂから出力された抽出信号Ｓｂｘは、加算回路ｋ１に出力される。加算回路ｋ１から出力された抽出信号Ｓｂｘは、等化器ＥＱ＿３ｂに出力される。等化器ＥＱ＿３ｂから出力された抽出信号Ｓｂｘは、出力端子Ｂ＿ｏｕｔに出力される。
【００７０】
補正回路Ｅ１１内の等化器ＥＱ＿１ｂ，ＥＱ＿３ｂは、他方向Ｘｂの抽出信号Ｓｂｘを方向性結合器１０１の通過特性に基づいて補正する。これにより、方向性結合器１０１の通過特性により劣化した抽出信号Ｓｂｘの特性が補償される。
【００７１】
補正回路Ｅ１１内の等化器ＥＱ＿２ａは、一方向Ｘａの抽出信号Ｓａｘに含まれる他方向Ｘｂの伝送信号Ｓｂの成分を生成する。つまり、等化器ＥＱ＿２ａは、方向性結合器１００において抽出された一方向Ｘａの伝送信号Ｓａに混入した漏えい波（図４のＳｂ＿ｉｎｆ参照）を生成する。生成された漏えい波の成分は、他方の補正回路Ｅ１０内の加算回路ｋ０に出力される。
【００７２】
補正回路Ｅ１０内の加算回路ｋ０は、等化器ＥＱ＿１ａにより補正された抽出信号Ｓａｘから、補正回路Ｅ１１内の等化器ＥＱ＿２ａにより生成された他方向Ｘｂの伝送信号Ｓｂの成分を除去する。これにより、漏えい波の干渉により劣化した抽出信号Ｓａｘの特性が補償される。
【００７３】
補正回路Ｅ１１内の加算回路ｋ１は、等化器ＥＱ＿１ｂにより補正された抽出信号Ｓｂｘから、補正回路Ｅ１０内の等化器ＥＱ＿２ｂにより生成された一方向Ｘａの伝送信号Ｓａの成分を除去する。これにより、漏えい波の干渉により劣化した抽出信号Ｓｂｘの特性が補償される。
【００７４】
補正回路Ｅ１０，Ｅ１１によりそれぞれ補正された抽出信号Ｓａｘ，Ｓｂｘは、再生された伝送信号Ｓａ，Ｓｂとして出力端子Ａ＿ｏｕｔ，Ｂ＿ｏｕｔからそれぞれ出力される。
【００７５】
補正回路Ｅ１０，Ｅ１１内の等化器ＥＱ＿１ａ〜ＥＱ＿３ａ，ＥＱ＿１ｂ〜ＥＱ＿３ｂとしては、例えば、図６に示されるＦＩＲ（Finite Impulse Response）型等化器が挙げられる。ＦＩＲ型等化器（ＦＩＲフィルタ）は、複数の遅延器（τ）ｍ２と、複数（タップ数分）の乗算器ｍ１と、加算器ｍ０とを有する。
【００７６】
ＦＩＲ型等化器は、入力端子ｉｎから入力された信号を、複数の遅延器ｍ２により順次に遅延させて、各乗算器ｍ１により係数（フィルタ係数）α−ｎ，・・・，α０，・・・αｎを乗算して、各乗算器ｍ１からの出力を加算器ｍ０で加算し、出力端子ｏｕｔから出力する。これにより、伝送信号Ｓａ，Ｓｂは、周波数成分ごとに係数に応じて補正される。
【００７７】
各係数α−ｎ，・・・，α０，・・・αｎは、予め観測した周波数ごとの方向性結合器１００，１０１の通過特性に基づいて決定される。なお、等化器ＥＱ＿１ａ〜ＥＱ＿３ａ，ＥＱ＿１ｂ〜ＥＱ＿３ｂとしては、ＦＩＲ型に限らず、ＩＩＲ（Infinite Impulse Response）型、または、時系列信号をデジタルフーリエ変換などで周波数領域成分に変換するタイプなども用いられる。
【００７８】
図５に示された例では、伝送信号Ｓａ，Ｓｂの再生に、それぞれ３個の等化器ＥＱ＿１ａ〜ＥＱ＿３ａ，ＥＱ＿１ｂ〜ＥＱ＿３ｂを用いたが、これに限定されない。例えば、図７に示されるように、等化器ＥＱ＿３ａ，ＥＱ＿３ｂを省いた構成を用いてもよい。
【００７９】
この場合、等化器ＥＱ＿１ａ，ＥＱ＿１ｂの係数は、等化器ＥＱ＿１ａ，ＥＱ＿１ｂのみで方向性結合器１００，１０１の通過特性により劣化した抽出信号Ｓａｘ，Ｓｂｘの特性が補償されるように決定される。これにより、抽出信号Ｓａｘ，Ｓｂｘに含まれる漏えい波の成分の特性も変化する。したがって、等化器ＥＱ＿２ａ，ＥＱ＿２ｂの係数は、等化器ＥＱ＿１ａ，ＥＱ＿１ｂを通過した漏えい波の成分が生成されるように決定される。
【００８０】
しかし、図７の例では、漏えい波の成分の特性と等化器ＥＱ＿１ａ，ＥＱ＿１ｂの等化特性の関係に応じて、漏えい波の成分が、図５の例より広い時間領域にわたって影響してしまう場合がある。この場合、等化器ＥＱ＿２ａ，ＥＱ＿２ｂの係数に基づく収束性が低下するため、ＦＩＲ型等化器のタップ数が増加し、回路規模が増加し得る。
【００８１】
また、図８には、等化器ＥＱ＿１ａ，ＥＱ＿１ｂを省いた構成が示されている。本例において、補正回路Ｅ１０，Ｅ１１には、等化器ＥＱ＿１ａ，ＥＱ＿１ｂに代え、等化器ＥＱ＿１ａ，ＥＱ＿１ｂと同等の遅延時間を抽出信号Ｓａｘ，Ｓｂｘに与える遅延器τａ、τｂが設けられている。
【００８２】
本例において、抽出信号Ｓａｘ，Ｓｂｘは、加算回路ｋ０、ｋ１により漏えい波の成分を除去された後、等化器ＥＱ＿３ａ，ＥＱ＿３ｂにより、図７の例の等化器ＥＱ＿１ａ，ＥＱ＿１ｂと同等の等化処理が施される。しかし、漏えい波の成分が大きければ、等化器ＥＱ＿１ａ，ＥＱ＿１ｂがないため、等化器ＥＱ＿２ａ，ＥＱ＿２ｂで生成された漏えい波の成分の誤差が増加してしまう。
【００８３】
信号処理回路６としては、方向性結合器１００，１０１の特性に応じて、図５、図７、及び図８の構成の何れかを選択すればよい。しかし、上記の問題を回避するためには、図５の構成において、等化器ＥＱ＿１ａ，ＥＱ＿１ｂ及び等化器ＥＱ＿２ａ，ＥＱ＿２ｂの係数を、誤差の分散により漏えい波の成分のキャンセル効果が最大となるように決定すればよい。また、等化器ＥＱ＿１ａ，ＥＱ＿１ｂ及び等化器ＥＱ＿３ａ，ＥＱ＿３ｂの係数は、等化器ＥＱ＿１ａ，ＥＱ＿１ｂ及び等化器ＥＱ＿３ａ，ＥＱ＿３ｂを合わせた特性が、伝送信号Ｓａ，Ｓｂの等化特性を満たすように決定すればよい。
【００８４】
信号処理回路６の構成は、以下に述べるように、等化器ＥＱ＿１ａ〜ＥＱ＿３ａ，ＥＱ＿１ｂ〜ＥＱ＿３ｂの係数を、方向性結合器１００，１０１のＳパラメータを用いて決定すれば、柔軟に決定できる。
【００８５】
図９（ａ）には、方向性結合器１００，１０１のＳパラメータのモデルが示されている。図９（ａ）において、Ａ＿ｉ，Ｂ＿ｉは、方向性結合器１００，１０１に入力される伝送信号Ｓａ，Ｓｂの振幅をそれぞれ示し、Ａ＿ｏ，Ｂ＿ｏは、方向性結合器１００，１０１により抽出された抽出信号Ｓａｘ，Ｓｂｘの振幅をそれぞれ示す。
【００８６】
本例では、方向性結合器１００，１０１の通過特性は同一であると仮定して、方向性結合器１００，１０１の３つのポートＰ１〜Ｐ３間のＳパラメータ（Ｓ２１，Ｓ３１，Ｓ３２）を定義する。ここで、ポートＰ１は、ネットワーク装置９０，９１側のポートであり、ポートＰ２は、他方の方向性結合器１００，１０１側のポートであり、ポートＰ３は、コネクタ１２及び受信部１１側のポートである。
【００８７】
Ｓ２１は、ポートＰ１からポートＰ２への通過特性（周波数成分ごとの電圧比）を示し、Ｓ３１は、ポートＰ１からポートＰ３への通過特性を示し、Ｓ３２は、ポートＰ２からポートＰ３への通過特性を示す。なお、本例では、受信部１１の回路基板及び増幅器４０，４１の影響はないと仮定する。
【００８８】
Ａ＿ｏ＝Ｓ３１・Ａ＿ｉ＋Ｓ２１・Ｓ３２・Ｂ＿ｉ   ・・・式（１）
Ｂ＿ｏ＝Ｓ３１・Ｂ＿ｉ＋Ｓ２１・Ｓ３２・Ａ＿ｉ   ・・・式（２）
【００８９】
Ａ＿ｏ，Ｂ＿ｏは、各ポートＰ１〜Ｐ３での反射を無視すれば、互いの漏えい波の成分を考慮して、上記の式（１）及び式（２）によりそれぞれ表される。
【００９０】
Ａ＿ｉ＝（Ｓ３１・Ａ＿ｏ−Ｓ２１・Ｓ３２・Ｂ＿ｏ）／｛（Ｓ３１＋Ｓ２１・Ｓ３２）（Ｓ３１−Ｓ２１・Ｓ３２）｝     ・・・式（３）
【００９１】
Ａ＿ｉは、式（１）及び式（２）に基づき、上記の式（３）として得られる。すなわち、式（３）に基づいて、等化器ＥＱ＿１ａ〜ＥＱ＿３ａ，ＥＱ＿１ｂ〜ＥＱ＿３ｂの係数を決定することにより、伝送信号Ｓａ，Ｓｂが再生される。なお、本例では、伝送信号Ｓａの再生処理に関わる等化器ＥＱ＿１ａ〜ＥＱ＿３ａの係数について述べるが、伝送信号Ｓｂについても、式（３）と同様の式でＢ＿ｉを定義して、等化器ＥＱ＿１ｂ〜ＥＱ＿３ｂの係数を決定すればよい。
【００９２】
ＣＦ１＝Ｓ３２       ・・・式（４）
ＣＦ２＝Ｓ２１・Ｓ３２      ・・・式（５）
ＣＦ３＝１／（Ｓ３１＋Ｓ２１・Ｓ３２）（Ｓ３１−Ｓ２１・Ｓ３２）・・・式（６）
【００９３】
図５に示される構成を採用した場合（例１）、伝送信号Ｓａは、図９（ｂ）に示される信号再生回路（第１処理部）Ｃ１により再生される。等化器ＥＱ＿１ａ〜ＥＱ＿３ａの係数α−ｎ，・・・，α０，・・・αｎは、式（３）に基づき、上記の式（４）〜式（６）によりそれぞれ表されるＣＦ１〜ＣＦ３に基づいて、それぞれ決定される。
【００９４】
ＣＦ１＝Ｓ３１／（Ｓ３１＋Ｓ２１・Ｓ３２）   ・・・式（７）
ＣＦ２＝Ｓ２１・Ｓ３２ ／（Ｓ３１＋Ｓ２１・Ｓ３２）  ・・・式（８）
ＣＦ３＝１／（Ｓ３１−Ｓ２１・Ｓ３２）    ・・・式（９）
【００９５】
また、等化器ＥＱ＿１ａ〜ＥＱ＿３ａの係数α−ｎ，・・・，α０，・・・αｎは、式（３）に基づき、上記の式（７）〜式（９）によりそれぞれ表されるＣＦ１〜ＣＦ３に基づいて、それぞれ決定してもよい。
【００９６】
本例の信号再生回路Ｃ１は、加算回路ｋ０の前段及び後段に等化器ＥＱ＿１ａ及びＥＱ＿３ａがそれぞれ設けられている。したがって、本例では、等化器ＥＱ＿１ａ〜ＥＱ＿３ａに対して式（３）の分母の振り分けの自由度が、以下の例２及び例３より高い。すなわち、係数の決定に関する自由度が高い。
【００９７】
信号処理回路６に入力される漏えい波の成分は、等化器ＥＱ＿１ａ，ＥＱ＿２ａの係数によっては、広い時間領域にわたってしまい、収束性が低下することにより、等化器ＥＱ＿１ａ，ＥＱ＿２ａのタップ数が増加し得る。しかし、本例のように、係数の決定に関する自由度が高ければ、上記の問題を回避できる。なお、これは、係数の決定において、方向性結合器１００，１０１の特性が相違する場合や、受信部１１の回路基板及び増幅器４０，４１の影響を考慮した場合も同様である。
【００９８】
ＣＦ１＝Ｓ３１／（Ｓ３１＋Ｓ２１・Ｓ３２）（Ｓ３１−Ｓ２１・Ｓ３２）
・・・式（１０）
ＣＦ２＝Ｓ２１・Ｓ３２／（Ｓ３１＋Ｓ２１・Ｓ３２）（Ｓ３１−Ｓ２１・Ｓ３２）
・・・式（１１）
【００９９】
図７に示される構成を採用した場合（例２）、伝送信号Ｓａは、図９（ｃ）に示される信号再生回路Ｃ２により再生される。等化器ＥＱ＿１ａ，ＥＱ＿２ａの係数α−ｎ，・・・，α０，・・・αｎは、式（３）に基づき、上記の式（１０）及び式（１１）によりそれぞれ表されるＣＦ１及びＣＦ２に基づいて、それぞれ決定される。本例は、図９（ｂ）において、等化器ＥＱ＿３ａの特性を、周波数特性がないインパルス係数に相当するとした場合と同義である。
【０１００】
ＣＦ２＝Ｓ２１・Ｓ３２／Ｓ３１     ・・・式（１２）
ＣＦ３＝Ｓ３１／（Ｓ３１＋Ｓ２１・Ｓ３２）（Ｓ３１−Ｓ２１・Ｓ３２）
・・・式（１３）
【０１０１】
図８に示される構成を採用した場合（例３）、伝送信号Ｓａは、図９（ｄ）に示される信号再生回路Ｃ３により再生される。等化器ＥＱ＿２ａ，ＥＱ＿３ａの係数α−ｎ，・・・，α０，・・・αｎは、式（３）に基づき、上記の式（１２）及び式（１３）によりそれぞれ表されるＣＦ２及びＣＦ３に基づいて、それぞれ決定される。本例は、図９（ｂ）において、等化器ＥＱ＿１ａの特性を、周波数特性がないインパルス係数に相当するとした場合と同義である。
【０１０２】
なお、本例では、方向性結合器１００，１０１の通過特性についてＳパラメータのモデルを構成して、等化器ＥＱ＿１ａ〜ＥＱ＿３ａ，ＥＱ＿１ｂ〜ＥＱ＿３ｂの係数を決定したが、これに限定されない。増幅器４０，４１の周波数特性に着目した場合、方向性結合器１００，１０１とは別に、増幅器４０，４１の通過特性についてＳパラメータのモデルを構成して、等化器ＥＱ＿１ａ〜ＥＱ＿３ａ，ＥＱ＿１ｂ〜ＥＱ＿３ｂの係数を決定してもよい。
【０１０３】
図１０（ａ）及び図１０（ｂ）は、補正前及び補正後の信号波形のシミュレーション結果を示すグラフである。より具体的には、図１０（ａ）には、図５の信号処理回路６の入力端子Ａ＿ｉｎ，Ｂ＿ｉｎに入力される抽出信号Ｓａｘ，Ｓｂｘの波形が示され、図１０（ｂ）には、出力端子Ａ＿ｏｕｔ，Ｂ＿ｏｕｔから出力される伝送信号Ｓａ，Ｓｂの波形が示されている。なお、信号Ｓａｘ，Ｓｂｘ，Ｓａ，Ｓｂは、５値振幅変調（０、±１、±２）で変調されている。
【０１０４】
図１０（ａ）及び図１０（ｂ）において、横軸は時間（ｍｓｅｃ）を示し、縦軸は伝送信号Ｓａ，Ｓｂの振幅（Ｖ）を示す。図１０（ａ）及び図１０（ｂ）の比較結果から理解されるように、信号処理回路６により、伝送信号Ｓａ，Ｓｂの振幅が大きくなり、受信性能の基準となるアイ（信号波形により囲まれた部分）が拡張されている。
【０１０５】
（実施例２）
信号処理回路６は、上記の劣化要因のうち、さらに、伝送路Ｄ（ＵＴＰケーブル）による減衰、及び反射波（図４参照）による劣化を補償してもよい。本例の信号処理回路６は、ネットワーク装置（Ａ）９０及びネットワーク装置（Ｂ）９１の送信部（ＰＨＹチップ）における伝送信号Ｓａ，Ｓｂの特性を基準として伝送信号Ｓａ，Ｓｂを再生する。以下に信号処理回路６の構成を説明する。
【０１０６】
図１１は、実施例２の信号処理回路６を示す構成図である。図１１において、図５と共通する構成については同一の符号を付し、その説明を省略する。
【０１０７】
信号処理回路６は、入力端子Ａ＿ｉｎ及び出力端子Ａ＿ｏｕｔと接続された補正回路Ｅ１０、Ｅ１２と、入力端子Ｂ＿ｉｎ及び出力端子Ｂ＿ｏｕｔと接続された補正回路Ｅ１１，Ｅ１３とを有する。補正回路Ｅ１２は、等化器ＥＱ＿５ａ，ＥＱ＿４ｂと、加算回路ｋ２とを有する。補正回路Ｅ１３は、等化器ＥＱ＿５ｂ，ＥＱ＿４ａと、加算回路ｋ３とを有する。
【０１０８】
補正回路Ｅ１２において、補正回路Ｅ１０から入力された抽出信号Ｓａｘは、加算回路ｋ２及び等化器ＥＱ＿４ｂに出力される。加算回路ｋ２から出力された抽出信号Ｓａｘは、等化器ＥＱ＿５ａに出力される。等化器ＥＱ＿５ａから出力された抽出信号Ｓａｘは、出力端子Ａ＿ｏｕｔに出力される。
【０１０９】
補正回路Ｅ１２内の等化器ＥＱ＿５ａは、伝送路Ｄの特性に基づいて、一方向Ｘａの抽出信号Ｓａｘに対し、一方向Ｘａの伝送信号Ｓａの送信元であるネットワーク装置（Ａ）９０から方向性結合器１００までの減衰量を補償する。このため、等化器ＥＱ＿５ａの係数は、予め観測された伝送路Ｄの周波数ごとの減衰特性に基づいて決定される。等化器ＥＱ＿５ａにより、伝送路Ｄの特性により劣化した抽出信号Ｓａｘの特性が補償される。
【０１１０】
補正回路Ｅ１２内の等化器ＥＱ＿４ｂは、一方向Ｘａの伝送信号Ｓａから、伝送路Ｄに伝送される他方向Ｘｂの伝送信号Ｓｂの送信先であるネットワーク装置（Ｂ）９１から方向性結合器１０１に入力される反射成分を生成する。つまり、等化器ＥＱ＿４ｂは、方向性結合器１０１において抽出された他方向Ｘｂの伝送信号Ｓｂに混入した伝送信号Ｓａの反射波（図４参照）を生成する。生成された反射成分は、他方の補正回路Ｅ１３内の加算回路ｋ３に出力される。
【０１１１】
また、補正回路Ｅ１３において、補正回路Ｅ１１から入力された抽出信号Ｓｂｘは、加算回路ｋ３及び等化器ＥＱ＿４ａに出力される。加算回路ｋ３から出力された抽出信号Ｓｂｘは、等化器ＥＱ＿５ｂに出力される。等化器ＥＱ＿５ｂから出力された抽出信号Ｓｂｘは、出力端子Ｂ＿ｏｕｔに出力される。
【０１１２】
補正回路Ｅ１３内の等化器ＥＱ＿５ｂは、伝送路Ｄの特性に基づいて、他方向Ｘｂの抽出信号Ｓｂｘに対し、他方向Ｘｂの伝送信号Ｓｂの送信元であるネットワーク装置（Ｂ）９１から方向性結合器１０１までの減衰量を補償する。このため、等化器ＥＱ＿５ｂの係数は、予め観測された伝送路Ｄの周波数ごとの減衰特性に基づいて決定される。等化器ＥＱ＿５ｂにより、伝送路Ｄの特性により劣化した抽出信号Ｓｂｘの特性が補償される。
【０１１３】
補正回路Ｅ１３内の等化器ＥＱ＿４ａは、他方向Ｘｂの伝送信号Ｓｂから、伝送路Ｄに伝送される一方向Ｘａの伝送信号Ｓａの送信先であるネットワーク装置（Ａ）９０から方向性結合器１００に入力される反射成分を生成する。つまり、等化器ＥＱ＿４ａは、方向性結合器１００において抽出された一方向Ｘａの伝送信号Ｓａに混入した伝送信号Ｓｂの反射波（図４参照）を生成する。生成された反射成分は、他方の補正回路Ｅ１２内の加算回路ｋ２に出力される。
【０１１４】
補正回路Ｅ１２内の加算回路ｋ２は、補正回路Ｅ１０により補正された抽出信号Ｓａｘから、補正回路Ｅ１３内の等化器ＥＱ＿４ａにより生成された他方向Ｘｂの伝送信号Ｓｂの反射成分を除去する。これにより、反射波の干渉により劣化した抽出信号Ｓａｘの特性が補償される。
【０１１５】
補正回路Ｅ１３内の加算回路ｋ３は、補正回路Ｅ１１により補正された抽出信号Ｓｂｘから、補正回路Ｅ１２内の等化器ＥＱ＿４ｂにより生成された一方向Ｘａの伝送信号Ｓａの反射成分を除去する。これにより、反射波の干渉により劣化した抽出信号Ｓｂｘの特性が補償される。
【０１１６】
このように、等化器ＥＱ＿４ａ，ＥＱ＿５ａを含む信号再生回路（第２処理回路）は、伝送路Ｄ及び反射波の特性による劣化を補償することにより、伝送信号Ｓａを再生する。また、等化器ＥＱ＿４ｂ，ＥＱ＿５ｂを含む信号再生回路（第２処理回路）は、伝送路Ｄ及び反射波の特性による劣化を補償することにより、伝送信号Ｓｂを再生する。
【０１１７】
（実施例３）
信号処理回路６は、上記以外の劣化要因であるＵＴＰケーブルの曲率の変化、経年劣化、及びコネクタの勘合具合などによる劣化を補償してもよい。信号処理回路６は、上記の補正回路Ｅ１０〜Ｅ１３により十分に伝送信号Ｓａ，Ｓｂの特性が補償されている場合、閾値に基づく信号値の判定により適応等化が可能である。以下に信号処理回路６の構成を説明する。
【０１１８】
図１２は、実施例３の信号処理回路６を示す構成図である。図１２において、図１１と共通する構成については同一の符号を付し、その説明を省略する。
【０１１９】
信号処理回路６は、入力端子Ａ＿ｉｎ及び出力端子Ａ＿ｏｕｔと接続された補正回路Ｅ１０、Ｅ１２、Ｅ１４と、入力端子Ｂ＿ｉｎ及び出力端子Ｂ＿ｏｕｔと接続された補正回路Ｅ１１，Ｅ１３、Ｅ１５とを有する。補正回路（第３処理部）Ｅ１４は、等化器ＥＱ＿６ａ，ＥＱ＿７ａと、検出器（ディテクタ）ＤＥＴ＿Ｆａ，ＤＥＴ＿Ｂａとを有する。補正回路Ｅ１５は、等化器ＥＱ＿６ｂ，ＥＱ＿７ｂと、検出器ＤＥＴ＿Ｆｂ，ＤＥＴ＿Ｂｂとを有する。
【０１２０】
補正回路Ｅ１４において、補正回路Ｅ１２から入力された抽出信号Ｓａｘは、等化器ＥＱ＿６ａ及び検出器ＤＥＴ＿Ｆａに出力される。等化器ＥＱ＿６ａから出力された抽出信号Ｓａｘは、等化器ＥＱ＿７ａに出力される。等化器ＥＱ＿７ａから出力された抽出信号Ｓａｘは、検出器ＤＥＴ＿Ｂａ及び出力端子Ａ＿ｏｕｔに出力される。
【０１２１】
補正回路Ｅ１５において、補正回路Ｅ１３から入力された抽出信号Ｓｂｘは、等化器ＥＱ＿６ｂ及び検出器ＤＥＴ＿Ｆｂに出力される。等化器ＥＱ＿６ｂから出力された抽出信号Ｓｂｘは、等化器ＥＱ＿７ｂに出力される。等化器ＥＱ＿７ｂから出力された抽出信号Ｓｂｘは、検出器ＤＥＴ＿Ｂｂ及び出力端子Ｂ＿ｏｕｔに出力される。
【０１２２】
補正回路Ｅ１４内の検出器ＤＥＴ＿Ｆａは、等化器ＥＱ＿６ａに入力される抽出信号Ｓａｘの信号値を閾値により判定し、判定結果を等化器ＥＱ＿６ａに出力する。検出器ＤＥＴ＿Ｂａは、等化器ＥＱ＿７ａから出力された抽出信号Ｓａｘの信号値を閾値により判定し、判定結果を等化器ＥＱ＿７ａに出力する。
【０１２３】
等化器ＥＱ＿６ａ，ＥＱ＿７ａは、検出器ＤＥＴ＿Ｆａ，ＤＥＴ＿Ｂａの判定結果に基づいて抽出信号Ｓａｘの適応等化処理を行う。より具体的には、等化器ＥＱ＿６ａ，ＥＱ＿７ａは、例えばＬＭＳ（Least Mean Square）のアルゴリズムを用いて、検出器ＤＥＴ＿Ｆａ，ＤＥＴ＿Ｂａの判定結果に基づいて、係数α−ｎ，・・・，α０，・・・αｎを更新する。
【０１２４】
等化器ＥＱ＿６ａは、ＦＦＥ（Feed Forward Equalizer）型であり、等化器ＥＱ＿６ａによる等化前の抽出信号Ｓａｘに基づいて、抽出信号Ｓａｘを適応等化する。等化器ＥＱ＿７ａは、ＤＦＥ（Decision Feedback Equalizer）型であり、等化器ＥＱ＿７ａによる等化済みの抽出信号Ｓａｘに基づいて、抽出信号Ｓａｘを適応等化する。
【０１２５】
一方、補正回路Ｅ１５内の検出器ＤＥＴ＿Ｆｂは、等化器ＥＱ＿６ｂに入力される抽出信号Ｓｂｘの信号値を閾値により判定し、判定結果を等化器ＥＱ＿６ｂに出力する。検出器ＤＥＴ＿Ｂｂは、等化器ＥＱ＿７ｂから出力された抽出信号Ｓｂｘの信号値を閾値により判定し、判定結果を等化器ＥＱ＿７ｂに出力する。
【０１２６】
等化器ＥＱ＿６ｂ，ＥＱ＿７ｂは、検出器ＤＥＴ＿Ｆｂ，ＤＥＴ＿Ｂｂの判定結果に基づいて抽出信号Ｓｂｘの適応等化処理を行う。より具体的には、等化器ＥＱ＿６ｂ，ＥＱ＿７ｂは、例えばＬＭＳのアルゴリズムを用いて、検出器ＤＥＴ＿Ｆｂ，ＤＥＴ＿Ｂｂの判定結果に基づいて係数α−ｎ，・・・，α０，・・・αｎを更新する。
【０１２７】
等化器ＥＱ＿６ｂは、ＦＦＥ型であり、等化器ＥＱ＿６ｂによる等化前の抽出信号Ｓｂｘに基づいて、抽出信号Ｓｂｘを適応等化する。等化器ＥＱ＿７ｂは、ＤＦＥ型であり、等化器ＥＱ＿７ｂによる等化済みの抽出信号Ｓｂｘに基づいて、抽出信号Ｓｂｘを適応等化する。
【０１２８】
検出器ＤＥＴ＿Ｆａ，ＤＥＴ＿Ｂａ，ＤＥＴ＿Ｆｂ，ＤＥＴ＿Ｂｂは、入力される抽出信号Ｓａｘ，Ｓｂｘの信号点間距離が長いほど、高精度に信号値を判定できる。１０００ＢＡＳＥ−Ｔでは、送信対象のデータが存在しない場合、ＩＤＬＥ信号を送信する。ＩＤＬＥ信号は、パルス振幅変調ＰＡＭ−５（PAM: Pulse-Amplitude Modulation）の通常の信号点間距離の２倍を有する。このため、補正回路Ｅ１４，Ｅ１５は、例えば、抽出信号Ｓａｘ，Ｓｂｘとして、ＩＤＬＥ信号を受信している間だけ、係数の更新処理を行ってもよい。
【０１２９】
（実施例４）
上記の等化器ＥＱ＿４ａ，ＥＱ＿５ａ，ＥＱ＿４ｂ，ＥＱ＿５ｂの等化特性は、伝送路Ｄの長さ（ＵＴＰケーブルの長さ）により影響される。伝送路Ｄの長さは、増幅器４０，４１が、ＶＧＡ（Variable Gain Amplifier）であり、ＶＧＡの利得を制御するＡＧＣ（Automatic Gain Control）が受信部１１に設けられている場合、伝送路Ｄの線材の品質を一定とすると、ＡＧＣが設定した利得（ゲイン）に基づいて推定される。この場合、ＶＧＡの利得の制御により、ＶＧＡの周波数特性が変化するため、さらに等化器ＥＱ＿１ａ〜ＥＱ＿３ａ，ＥＱ＿１ｂ〜ＥＱ＿３ｂの等化特性も変動する。
【０１３０】
本実施例において、信号処理回路６は、ゲインごとの係数を係数テーブルに保持し、ゲインに応じた係数を、等化器ＥＱ＿１ａ〜ＥＱ＿５ａ，ＥＱ＿１ｂ〜ＥＱ＿５ｂに設定することにより、伝送路Ｄの長さによる抽出信号Ｓａｘ，Ｓｂｘの特性変動を補償する。以下に、本実施例のネットワークタップ１の構成を説明する。
【０１３１】
図１３は、本実施例のネットワークタップ１を示す構成図である。図１３において、図３と共通する構成については同一の符号を付し、その説明を省略する。
【０１３２】
受信部１１は、可変利得増幅器（ＶＧＡ）４０ａ，４１ａと、アナログ−デジタル変換器５０，５１と、信号処理回路６ａと、デジタル−アナログ変換器５２，５３と、ＰＨＹチップ７０，７１と、モニタ送信部８とを有する。信号処理回路６ａは、抽出信号Ｓａｘ，Ｓｂｘに基づいて、可変利得増幅器４０ａ，４１ａの利得をそれぞれ制御するＡＧＣを有する。このため、可変利得増幅器４０ａ，４１ａは、伝送路Ｄの長さに応じて、抽出された伝送信号Ｓａ，Ｓｂを増幅できる。
【０１３３】
図１４は、実施例４の信号処理回路６ａを示す構成図である。図１４において、図１２と共通する構成については同一の符号を付し、その説明を省略する。
【０１３４】
信号処理回路６ａは、入力端子Ａ＿ｉｎ及び出力端子Ａ＿ｏｕｔと接続された補正回路Ｅ１０、Ｅ１２、Ｅ１４と、入力端子Ｂ＿ｉｎ及び出力端子Ｂ＿ｏｕｔと接続された補正回路Ｅ１１，Ｅ１３、Ｅ１５とを有する。信号処理回路６ａは、さらに、ＡＧＣである制御器（制御部）ＡＧＣａ，ＡＧＣｂと、係数設定部（調整部）６１，６２と、メモリなどの記憶手段に記憶された係数テーブル６０とを有する。
【０１３５】
制御器ＡＧＣａ，ＡＧＣｂは、可変利得増幅器４０ａ，４１ａにより増幅された伝送信号Ｓａ，Ｓｂに基づいて、可変利得増幅器４０ａ，４１ａの利得を制御する。制御器ＡＧＣａ，ＡＧＣｂは、可変利得増幅器４０ａ，４１ａに設定する利得を示すゲイン信号Ｇａ，Ｇｂを、係数設定部６１，６２にそれぞれ出力する。
【０１３６】
係数設定部６１は、可変利得増幅器４０ａの利得に応じて、等化器ＥＱ＿１ａ，ＥＱ＿２ｂ，ＥＱ＿３ａ〜ＥＱ＿５ａの特性を調整する。より具体的には、係数設定部６１は、係数テーブル６０を参照することにより、ゲイン信号Ｇａが示す利得に対応する等化器ＥＱ＿１ａ，ＥＱ＿２ｂ，ＥＱ＿３ａ〜ＥＱ＿５ａの係数α−ｎ，・・・，α０，・・・αｎを取得する。係数設定部６１は、取得した係数を等化器ＥＱ＿１ａ，ＥＱ＿２ｂ，ＥＱ＿３ａ〜ＥＱ＿５ａに設定する。
【０１３７】
係数設定部６２は、可変利得増幅器４１ａの利得に応じて、等化器ＥＱ＿１ｂ，ＥＱ＿２ａ，ＥＱ＿３ｂ〜ＥＱ＿５ｂの特性を調整する。より具体的には、係数設定部６２は、係数テーブル６０を参照することにより、ゲイン信号Ｇｂが示す利得に対応する等化器ＥＱ＿１ｂ，ＥＱ＿２ａ，ＥＱ＿３ｂ〜ＥＱ＿５ｂの係数α−ｎ，・・・，α０，・・・αｎを取得する。係数設定部６１は、取得した係数を等化器ＥＱ＿１ｂ，ＥＱ＿２ａ，ＥＱ＿３ｂ〜ＥＱ＿５ｂに設定する。
【０１３８】
図１５には、係数テーブル６０の一例が示されている。係数テーブル６０には、利得ＧＡ，・・・，ＧＸと、各等化器ＥＱ＿１ａ〜ＥＱ＿５ａ，ＥＱ＿１ｂ〜ＥＱ＿５ｂの係数ＧＡ１，・・・，ＧＸ１０が登録されている。係数テーブル６０の係数は、予め、利得に応じた伝送路Ｄの長さごとに観測した抽出信号Ｓａｘ，Ｓｂｘの特性に基づいて設定される。なお、係数設定部６１，６２は、ゲイン信号Ｇａ，Ｇｂが示す利得が係数テーブル６０に登録されていない場合、該利得の近傍の利得に応じた係数から、補完により適切な係数を導出してもよい。
【０１３９】
図１６は、制御器ＡＧＣａの一例を示す構成図である。なお、制御器ＡＧＣｂも、制御器ＡＧＣａと同様の構成を有する。
【０１４０】
制御器ＡＧＣａは、電力変換部６３と、平均化処理部６４と、減算部６５と、平滑化処理部６６と、デシベル変換部６７と、インターフェース（ＩＦ）変換部６８とを有する。平均化処理部６４は、加算器ｕ０、遅延器（τ）ｕ１、及び乗算器ｕ２を有する。減算部６５は、加算器ｕ３を有する。
【０１４１】
アナログ−デジタル変換器５０から出力された抽出信号Ｓａｘは、電力変換部６３に入力される。電力変換部６３は、抽出信号Ｓａｘの電圧を自乗することにより、抽出信号Ｓａｘの電力を算出する。電力変換部６３は、抽出信号Ｓａｘを電圧信号から電力信号に変換する。制御器ＡＧＣａは、抽出信号Ｓａｘの電力の平均値を監視し、基準電力との比較結果に基づいて利得を調整する。なお、電力を判断基準とするのは、抽出信号Ｓａｘの電圧が正の値または負の値を取る場合、平均化によりゼロとなるからである。
【０１４２】
電力信号に変換された抽出信号Ｓａｘは、平均化処理部６４に入力される。平均化処理部６４は、抽出信号Ｓａｘを遅延器ｕ１により遅延させた後、加算器ｕ０により抽出信号Ｓａｘに加算する。平均化処理部６４は、さらに、抽出信号Ｓａｘを乗算器ｕ２により積分回数で除算して減算部６５に出力する。積分回数とは、抽出信号Ｓａｘにおける被変調成分やサンプルタイミングのアイパタンとのずれによる変動の影響を除くために、抽出信号の平均電力を得るのに十分な回数である。これにより、平均化処理部６４は、抽出信号Ｓａｘの被変調成分や、アナログ−デジタル変換器５０におけるサンプリングのタイミングによる電力のばらつきを抑圧する。
【０１４３】
減算部６５において、加算器ｕ３は、目標となる基準電力ＰＷＯと、抽出信号Ｓａｘの差分を算出して、平滑化処理部６６に出力する。平滑化処理部６６は、減算部６５で算出された差分に基づいて、制御対象の利得の平滑化を行う。平滑化処理部６６は、差分が正である場合、利得を増加させ、差分が負である場合、利得を減少させる。平滑化処理部６６は、利得が雑音やループ遅延のために発振しないように、フィルタリング処理を行う。
【０１４４】
平滑化された利得は、デシベル変換部６７に入力される。デシベル変換部６７は、可変利得増幅器４０ａが対数制御に対応する場合に設けられる。デシベル変換部６７は、利得を、利得をデシベル（ｄＢ）に変換して、ＩＦ変換部６８に出力するとともに、ゲイン信号Ｇａとして係数設定部６１に出力する。なお、利得のデシベル（ｄＢ）への変換処理は、電力変換部６３より後段の何れで行われてもよい。
【０１４５】
ＩＦ変換部６８は、可変利得増幅器４０ａの信号受信形態に応じて、利得の出力形態を変換し、可変利得増幅器４０ａに出力する。なお、他方の制御器ＡＧＣｂも、上述した内容と同様に動作する。
【０１４６】
これにより、制御器ＡＧＣａ，ＡＧＣｂは、抽出した伝送信号Ｓａ，Ｓｂの電圧レベル変動に起因するアナログ−デジタル変換器５０，５１の出力信号（抽出信号Ｓａｘ，Ｓｂｘ）のレゾリューションの低下を防止できる。
【０１４７】
アナログ−デジタル変換器５０，５１は、動作電圧範囲に比べて、入力される伝送信号Ｓａ，Ｓｂの電圧レベルが小さい場合、出力する抽出信号Ｓａｘ，Ｓｂｘのビット単位の精度が低下する。これに対して、可変利得増幅器４０ａ，４１ｂの利得を過剰に増加させると、入力される伝送信号Ｓａ，Ｓｂの電圧レベルが、動作レンジを大きく上回るため、飽和や折り返しといった問題が生ずる。しかし、制御器ＡＧＣａ，ＡＧＣｂは、抽出信号Ｓａｘ，Ｓｂｘを電力変換し、電力の大きさに基づいて、利得を適切に制御することにより、上記の問題を防止する。
【０１４８】
これまで述べたように、実施例に係る信号処理装置（受信部）１１は、伝送信号Ｓａ，Ｓｂが双方向Ｘａ，Ｘｂに伝送される伝送路Ｄ上の個別の抽出部（方向性結合器）１００，１０１により抽出された一方向の伝送信号及び他方向の伝送信号を受信する。信号処理装置１１は、受信した一方向の伝送信号Ｓａ，Ｓｂ及び他方向の伝送信号Ｓｂ，Ｓａから、伝送路Ｄに伝送される一方向の伝送信号Ｓａ，Ｓｂを再生する。
【０１４９】
信号処理装置１１は、一方向Ｘａ，Ｘｂの伝送信号Ｓａ，Ｓｂを抽出部１００，１０１の特性に基づいて補正し、他方向Ｘｂ，Ｘａの伝送信号から、一方向の伝送信号Ｓａ，Ｓｂに含まれる、伝送路Ｄに伝送される他方向の伝送信号Ｓｂ，Ｓａの成分（Ｓｂ＿ｉｎｆ）を生成し、一方向の伝送信号から除去する第１処理部Ｃ１〜Ｃ３を有する。
【０１５０】
上記の構成によると、第１処理部Ｃ１〜Ｃ３は、一方向Ｘａ，Ｘｂの伝送信号Ｓａ，Ｓｂを抽出部１００，１０１の特性に基づいて補正するため、方向性結合器１００の通過特性により劣化した伝送信号Ｓａ，Ｓｂの特性が補償される。また、第１処理部Ｃ１〜Ｃ３は、他方向Ｘｂ，Ｘａの伝送信号から、一方向の伝送信号Ｓａ，Ｓｂに含まれる、伝送路Ｄに伝送される他方向の伝送信号Ｓｂ，Ｓａの成分（Ｓｂ＿ｉｎｆ）を生成し、一方向の伝送信号から除去するため、他方向の漏えい波の干渉により劣化した伝送信号Ｓａ，Ｓｂの特性が補償される。
【０１５１】
したがって、実施例に係る信号処理装置１１によると、他装置との間で制御信号を送受信することなく、信号を再生できる。
【０１５２】
また、実施例に係る信号処理システム（ネットワークタップ）１は、抽出装置（信号抽出部）１０と、信号処理装置（受信部）１１とを有する。抽出装置１０は、伝送信号Ｓａ，Ｓｂが双方向Ｘａ，Ｘｂに伝送される伝送路Ｄ上の個別の抽出部１００，１０１により一方向の伝送信号Ｓａ及び他方向の伝送信号Ｓｂを抽出する。
【０１５３】
信号処理部１１は、抽出された一方向の伝送信号Ｓａ，Ｓｂ及び他方向の伝送信号Ｓｂ，Ｓａを受信し、受信した一方向の伝送信号及び他方向の伝送信号から、伝送路に伝送される一方向の伝送信号を再生する。信号処理装置１１は、一方向Ｘａ，Ｘｂの伝送信号Ｓａ，Ｓｂを抽出部１００，１０１の特性に基づいて補正し、他方向Ｘｂ，Ｘａの伝送信号から、一方向の伝送信号Ｓａ，Ｓｂに含まれる、伝送路Ｄに伝送される他方向の伝送信号Ｓｂ，Ｓａの成分（Ｓｂ＿ｉｎｆ）を生成し、一方向の伝送信号から除去する第１処理部Ｃ１〜Ｃ３を有する。
【０１５４】
実施例に係る信号処理システム１は、上記の信号処理装置１１と同様の構成を含むので、上述した内容と同様の作用効果を奏する。
【０１５５】
また、実施例に係る信号処理方法は、伝送信号Ｓａ，Ｓｂが双方向Ｘａ，Ｘｂに伝送される伝送路Ｄ上の個別の抽出部（方向性結合器）１００，１０１により一方向の伝送信号及び他方向の伝送信号を抽出し、抽出された一方向の伝送信号及び他方向の伝送信号から、伝送路Ｄに伝送される一方向の伝送信号を再生する。
【０１５６】
実施例に係る信号処理方法は、以下の工程を含む。
工程（１）：一方向の伝送信号Ｓａ，Ｓｂを抽出部１００，１０１の特性に基づいて補正する。
工程（２）：他方向の伝送信号Ｓｂ，Ｓａから、一方向の伝送信号Ｓａ，Ｓｂに含まれる、伝送路Ｄに伝送される他方向の伝送信号Ｓｂ，Ｓａの成分を生成し、一方向の伝送信号Ｓａ，Ｓｂから除去する。
【０１５７】
実施例に係る信号処理方法は、上記の信号処理装置１１と同様の構成を含むので、上述した内容と同様の作用効果を奏する。
【０１５８】
上述した実施形態は本発明の好適な実施の例である。但し、これに限定されるものではなく、本発明の要旨を逸脱しない範囲内において種々変形実施可能である。
【０１５９】
なお、以上の説明に関して更に以下の付記を開示する。
（付記１）  伝送信号が双方向に伝送される伝送路上の個別の抽出部により抽出された一方向の伝送信号及び他方向の伝送信号を受信し、受信した前記一方向の伝送信号及び前記他方向の伝送信号から、前記伝送路に伝送される前記一方向の伝送信号を再生する信号処理装置において、
前記一方向の伝送信号を前記抽出部の特性に基づいて補正し、前記他方向の伝送信号から、前記一方向の伝送信号に含まれる、前記伝送路に伝送される前記他方向の伝送信号の成分を生成し、前記一方向の伝送信号から除去する第１処理部を有することを特徴とする信号処理装置。
（付記２）  前記伝送路の特性に基づいて、前記一方向の伝送信号に対し、前記伝送路に伝送される前記一方向の伝送信号の送信元から前記抽出部までの減衰量を補償し、前記他方向の伝送信号から、前記伝送路に伝送される前記他方向の伝送信号の送信先から前記抽出部に入力される反射成分を生成し、前記一方向の伝送信号から除去する第２処理部を、さらに有することを特徴とする付記１に記載の信号処理装置。
（付記３）  前記一方向の伝送信号の信号値を閾値により判定し、該判定結果に基づいて前記一方向の伝送信号の適応等化処理を行う第３処理部を、さらに有することを特徴とする付記１または２に記載の信号処理装置。
（付記４）  前記一方向の伝送信号を増幅する増幅器と、
前記増幅器により増幅された前記一方向の伝送信号に基づいて、前記増幅器の利得を制御する制御部と、
前記増幅器の利得に応じて、前記第１処理部の特性を調整する調整部とを、さらに有することを特徴とする付記１乃至３の何れかに記載の信号処理装置。
（付記５）  伝送信号が双方向に伝送される伝送路上の個別の抽出部により一方向の伝送信号及び他方向の伝送信号を抽出する抽出装置と、
抽出された前記一方向の伝送信号及び前記他方向の伝送信号を受信し、受信した前記一方向の伝送信号及び前記他方向の伝送信号から、前記伝送路に伝送される前記一方向の伝送信号を再生する信号処理装置とを有し、
前記信号処理装置は、前記一方向の伝送信号を前記抽出部の特性に基づいて補正し、前記他方向の伝送信号から、前記一方向の伝送信号に含まれる、前記伝送路に伝送される前記他方向の伝送信号の成分を生成し、前記一方向の伝送信号から除去する第１処理部を有することを特徴とする信号処理システム。
（付記６）  前記信号処理装置は、前記伝送路の特性に基づいて、前記一方向の伝送信号に対し、前記伝送路に伝送される前記一方向の伝送信号の送信元から前記抽出部までの減衰量を補償し、前記他方向の伝送信号から、前記伝送路に伝送される前記他方向の伝送信号の送信先から前記抽出部に入力される反射成分を生成し、前記一方向の伝送信号から除去する第２処理部を、さらに有することを特徴とする付記５に記載の信号処理システム。
（付記７）  前記信号処理装置は、前記一方向の伝送信号の信号値を閾値により判定し、該判定結果に基づいて前記一方向の伝送信号の適応等化処理を行う第３処理部を、さらに有することを特徴とする付記５または６に記載の信号処理システム。
（付記８）  前記信号処理装置は、
前記一方向の伝送信号を増幅する増幅器と、
前記増幅器により増幅された前記一方向の伝送信号に基づいて、前記増幅器の利得を制御する制御部と、
前記増幅器の利得に応じて、前記第１処理部の特性を調整する調整部とを、さらに有することを特徴とする付記５乃至７の何れかに記載の信号処理システム。
（付記９）  前記信号処理装置は、コネクタを介して前記抽出装置に着脱自在に接続されることを特徴とする付記５乃至８の何れかに記載の信号処理システム。
（付記１０）  伝送信号が双方向に伝送される伝送路上の個別の抽出部により一方向の伝送信号及び他方向の伝送信号を抽出し、抽出された前記一方向の伝送信号及び前記他方向の伝送信号から、前記伝送路に伝送される前記一方向の伝送信号を再生する信号処理方法において、
前記一方向の伝送信号を前記抽出部の特性に基づいて補正し、前記他方向の伝送信号から、前記一方向の伝送信号に含まれる、前記伝送路に伝送される前記他方向の伝送信号の成分を生成し、前記一方向の伝送信号から除去することを特徴とする信号処理方法。
（付記１１）  前記伝送路の特性に基づいて、前記一方向の伝送信号に対し、前記伝送路に伝送される前記一方向の伝送信号の送信元から前記抽出部までの減衰量を補償し、前記他方向の伝送信号から、前記伝送路に伝送される前記他方向の伝送信号の送信先から前記抽出部に入力される反射成分を生成し、前記一方向の伝送信号から除去することを特徴とする付記１０に記載の信号処理方法。
（付記１２）  前記一方向の伝送信号の信号値を閾値により判定し、該判定結果に基づいて前記一方向の伝送信号の適応等化処理を行うことを特徴とする付記１０または１１に記載の信号処理方法。
【符号の説明】
【０１６０】
１，１ａ      ネットワークタップ
６，６ａ      信号処理回路
１０       信号抽出部（抽出装置）
１１       受信部（信号処理装置）
１２       コネクタ
４０ａ，４１ａ     可変利得増幅器
１００，１０１     方向性結合器（抽出部）
Ｃ１〜Ｃ３      信号再生回路
ＥＱ＿１ａ〜ＥＱ＿７ａ，ＥＱ＿１ｂ〜ＥＱ＿７ｂ 等化器
Ｅ１０，Ｅ１１     補正回路（第１処理部）
Ｅ１２，Ｅ１３     補正回路（第２処理部）
Ｅ１４，Ｅ１５     補正回路（第３処理部）
【図１】
2016134910.tif 000003
【図２】
2016134910.tif 000004
【図３】
2016134910.tif 000005
【図４】
2016134910.tif 000006
【図５】
2016134910.tif 000007
【図６】
2016134910.tif 000008
【図７】
2016134910.tif 000009
【図８】
2016134910.tif 000010
【図９】
2016134910.tif 000011
【図１０】
2016134910.tif 000012
【図１１】
2016134910.tif 000013
【図１２】
2016134910.tif 000014
【図１３】
2016134910.tif 000015
【図１４】
2016134910.tif 000016
【図１５】
2016134910.tif 000017
【図１６】
2016134910.tif 000018